(57)【要約】【課題】各種電子機器の操作パネル等に使用される可動接点体およびそれを用いたパネルスイッチに関し、可動接点間を連絡する空気流路用の非粘着部を備えた粘着層を、機器側への装着機能部として共用しないで済む構成にでき、操作感触が良好で機器への装着安定性にも優れたものを提供する。【解決手段】ベースフィルム１０下面の第１粘着層１１とスペーサ２０上面の第２粘着層２２を粘着させて、可動接点３を保持させたベースフィルム１０の下面にスペーサ２０を重ね合わせる構成とし、その両者間を粘着させる粘着層に、空気流路３０を形成したものとすると共に、スペーサ２０の下面に、機器側への装着機能部となる専用の下粘着層２３を設けたものとした。【選択図】図１
2006024450.tif 000002
【特許請求の範囲】
【請求項１】
下方開口のドーム状で弾性を有する複数の可動接点と、それらの可動接点上を保持するベースフィルムと、上記可動接点毎の配置位置に応じて配された貫通孔内に、上記各可動接点が収容されるよう上記ベースフィルムの下方に重ねて配されたスペーサと、上記ベースフィルムと上記スペーサとの間を粘着固定する粘着層とを備え、上記粘着層に、上記可動接点間を連絡する空気流路用の非粘着部が構成されていると共に、機器側への装着機能部が、上記粘着層とは異なる部位で構成された可動接点体。
【請求項２】
ベースフィルムとスペーサとの間の粘着層が、上記ベースフィルムの下面に形成された第１粘着層と、上記スペーサの上面に形成された第２粘着層とが貼り合わされて構成されると共に、上記粘着層の空気流路が、上記第１粘着層に構成された第１非粘着部と上記第２粘着層に構成された第２非粘着部とを上下で位置を合わせて配し、両者の組み合わせで構成された請求項１記載の可動接点体。
【請求項３】
機器側への装着機能部として、スペーサの下面全面に下粘着層が配された請求項１記載の可動接点体を、各可動接点に応じた位置に固定接点が配設された配線板上に、上記可動接点と上記固定接点を対応させるようにして上記下粘着層で貼り合わせて構成したパネルスイッチ。
【発明の詳細な説明】
【技術分野】
【０００１】
本発明は、各種電子機器の操作パネル等に使用される可動接点体およびそれを用いたパネルスイッチに関するものである。
【背景技術】
【０００２】
近年、各種電子機器は携帯して使用するものも増え、小型軽量化が進められると共に、その電子機器の操作パネルに用いられるパネルスイッチについても、厚さが薄くできて、操作時に良好な感触が得られ、しかも電気的に安定した接触が得られることなどから、ドーム状に加工された弾性を有する導電金属板からなる可動接点を用いた可動接点体が多く採用されるようになっている。
【０００３】
このような従来の可動接点体およびそれを用いたパネルスイッチについて、図４〜図６を用いて説明する。
【０００４】
図４は従来の可動接点体の断面図、図５は同分解斜視図であり、同図において、１は外形を定型に加工された可撓性を有する絶縁性のベースフィルムで、その下面に形成された粘着層２によって、ドーム状に加工形成された弾性を有する導電金属薄板製の可動接点３が、複数個互いに独立状態になるように、各々の上部を粘着保持されている。そして、粘着層２は、可動接点３間の位置を連絡する空気流路部として、所定パターンの非粘着部２Ａを有している。
【０００５】
従来の可動接点体は、以上のように構成されるが、その輸送保管時などには、粘着層２の露出部分に対し、表面が離型処理された絶縁性フィルムからなるセパレータ４が、ベースフィルム１の下面全体を覆うように貼り合わされた形態となされる。この形態時には、各可動接点３は、ベースフィルム１とセパレータ４との間に挟み込まれた状態となっており、上記セパレータ４の役割としては、ベースフィルム１に密着状態に貼り合わせられることで、可動接点３の腐食などを防止すると共に、輸送・保管中にベースフィルム１下面の粘着層２が、不用意に他の箇所に粘着することや異物の付着を防止するために貼り付けられるものである。
【０００６】
そして、上記セパレータ付きの形態とされた従来の可動接点体は、その使用時には、図６の断面図に示すように、セパレータ４を剥がし取って露出させた粘着層２により、それぞれの可動接点３に対応する固定接点５（５Ａ、５Ｂ）が配設された配線板６上に貼り付けてパネルスイッチとして使用する。つまり、従来の可動接点体においては、粘着層２が、機器側への装着機能部としても働く構成となっている。
【０００７】
そのパネルスイッチにおける個々のスイッチは、同図に示すように、それぞれの中央固定接点５Ａが各可動接点３の中央部に対峙し、かつそれぞれの外側固定接点５Ｂ上に前記各可動接点３の外周下端が載置された構成となる。
【０００８】
上記個々のスイッチの動作としては、ベースフィルム１の上方から可動接点３に押し下げ力を加え、可動接点３のドーム状部分を弾性反転させ、その中央部下面を中央固定接点５Ａに接触させることにより、可動接点３を介して中央固定接点５Ａと外側固定接点５Ｂとの間が電気的に接続したスイッチＯＮ状態となる。
【０００９】
そして、その押し下げ力を除くと、可動接点３が自らの弾性復元力により、元の形状に弾性復帰して、中央固定接点５Ａと外側固定接点５Ｂは電気的独立状態に戻り、元のスイッチＯＦＦ状態となるものである。
【００１０】
なお、従来のものは、ベースフィルム１で完全に覆われ、かつ封入された空気を含んで上記動作状態となるが、前述した可動接点３間の位置を連絡する空気流路部としての非粘着部２Ａを介して空気の移動が行われるため、封入された空気の影響での操作感触の劣化は発生し難いものであった。
【００１１】
なお、この出願の発明に関連する先行技術文献情報としては、例えば、特許文献１が知られている。
【特許文献１】特開２００３−０７７３６８号公報
【発明の開示】
【発明が解決しようとする課題】
【００１２】
しかしながら、上記従来の可動接点体およびそれを用いたパネルスイッチにおいては、良好な操作感触を得るためには粘着層２内に空気流路部としての非粘着部２Ａを構成しなければならず、その非粘着部２Ａを構成すると、装着機能部としても働く粘着層２の有効面積が低減化されてしまい、その補強手段として、例えば、粘着層２の厚みを増して粘着力を補強するようにしていたが、その対応品は、製品毎での個別仕様となり易く管理面等の煩雑さを招くことになるという課題があった。
【００１３】
本発明は、このような従来の課題を解決するものであり、ベースフィルムに保持された可動接点間を連絡する空気流路用の非粘着部を備えた粘着層を、機器側への装着機能部として共用しないで済む構成にでき、操作感触が良好で機器への装着安定性にも優れた可動接点体およびそれを用いたパネルスイッチを提供することを目的とする。
【課題を解決するための手段】
【００１４】
上記目的を達成するために本発明は、以下の構成を有するものである。
【００１５】
本発明の請求項１に記載の発明は、下方開口のドーム状で弾性を有する複数の可動接点と、それらの可動接点上を保持するベースフィルムと、上記可動接点毎の配置位置に応じて配された貫通孔内に、上記各可動接点が収容されるよう上記ベースフィルムの下方に重ねて配されたスペーサと、上記ベースフィルムと上記スペーサとの間を粘着固定する粘着層とを備え、上記粘着層に、上記可動接点間を連絡する空気流路用の非粘着部が構成されていると共に、機器側への装着機能部が、上記粘着層とは異なる部位で構成された可動接点体としたものであり、当該構成であれば、空気流路用の非粘着部が形成された粘着層を、機器側への装着機能部と共用しない構成にでき、機器に装着された状態が空気流路の形成状態などに左右されずに済む。
【００１６】
また、ベースフィルムのスペーサへの粘着高さ位置と可動接点の保持高さ位置の差が少なくなる分、可動接点の保持位置端部とスペーサへの保持位置端部を繋ぐベースフィルムの傾斜角度がゆるくなり、これにより操作時におけるベースフィルムからの影響も少なくなり、かつ空気流路を介して圧縮された空気の移動も行われるため操作感触の劣化も一層低減できるという作用を有する。
【００１７】
請求項２に記載の発明は、請求項１記載の発明において、ベースフィルムとスペーサとの間の粘着層が、上記ベースフィルムの下面に形成された第１粘着層と、上記スペーサの上面に形成された第２粘着層とが貼り合わされて構成されると共に、上記粘着層の空気流路が、上記第１粘着層に構成された第１非粘着部と上記第２粘着層に構成された第２非粘着部とを上下で位置を合わせて配し、両者の組み合わせで構成されたものであり、粘着面どうしを貼り合わせることによりベースフィルムとスペーサとが強固に粘着され、しかもその粘着層に形成された空気流路としても大きい幅や高さのものを容易に構成できるという作用を有する。
【００１８】
請求項３に記載の発明は、機器側への装着機能部として、スペーサの下面全面に下粘着層が配された請求項１記載の可動接点体を、各可動接点に応じた位置に固定接点が配設された配線板上に、上記可動接点と上記固定接点を対応させるようにして上記下粘着層で貼り合わせて構成したパネルスイッチであり、スペーサの下面に構成する下粘着層には、空気流路を構成していないものであるため、下粘着層の機器側への装着有効面積が広くでき、使用する配線板に強固かつ防塵性など高く貼り合わせられたものにできるという作用を有する。
【発明の効果】
【００１９】
以上のように本発明によれば、可動接点上を覆うように配したベースフィルムをスペーサ上に貼り合わせ、上記両者間の粘着層に空気流路を形成し、その粘着層を機器側への装着機能部として共用しない構成としたため、良好な操作感触を保持し、かつ空気流路の形成状態などに拘らず安定した装着状態のものに構成できるという有利な効果が得られる。
【発明を実施するための最良の形態】
【００２０】
以下、本発明の実施の形態について、図１〜図３を用いて説明する。
【００２１】
なお、従来の技術の項で説明した構成と同一構成の部分には同一符号を付して、詳細な説明を省略する。
【００２２】
（実施の形態）
図１は本発明の一実施の形態による可動接点体の断面図、図２は同分解斜視図である。なお、図１は、図２のＡ−Ａ線における断面状態を示している。
【００２３】
同図において、１０は、外形を定型に加工された可撓性を有する絶縁性のベースフィルムであり、その下面に形成された第１粘着層１１により複数の可動接点３の各上面を粘着保持している。可動接点３どうしは、使用する機器の操作ボタン位置に合わされた所定の配列状態に配置されている。２０は、ベースフィルム１０の下方に重ね合わされるようにして配された絶縁フィルム製のスペーサであり、複数の可動接点３の配置位置に応じて貫通孔２１を有していると共に、その上面には、第２粘着層２２を備えている。
【００２４】
そして、ベースフィルム１０とスペーサ２０とは、第１粘着層１１と第２粘着層２２との粘着面どうしが貼り合わされている。このとき、上記各可動接点３は、それぞれ対応するスペーサ２０の貫通孔２１内に収容状態で各下端がスペーサ２０の下面位置より若干下方側に突出可能な配置状態になっている。
【００２５】
また、第１粘着層１１と第２粘着層２２には、各々非粘着部１１Ａと２２Ａが構成されている。その構成位置は、隣り合う可動接点３どうしの間の位置を連絡するようにし、かつ非粘着部１１Ａと２２Ａどうしが、上下で対向配置状態に合わさる位置で設けられている。なお、非粘着部１１Ａと２２Ａの端部は、第１粘着層１１と第２粘着層２２の外周端部には位置しないように設け、非粘着部１１Ａと２２Ａとで構成される空気流路３０は、ベースフィルム１０とスペーサ２０とを貼り合わせた状態では、閉じられた空間となっている。
【００２６】
上記の空気流路３０の構成であれば、大きい幅や高さの広い流路空間を容易に構成できると共に、ベースフィルム１０とスペーサ２０とは、第１粘着層１１および第２粘着層２２という粘着面どうしでの粘着固定状態にできるため、高い粘着力で粘着されたものにできる。なお、アクリル系粘着剤どうしのように、第１粘着層１１および第２粘着層２２を共に同材質のもので形成すると、粘着状態が強固で安定したものにでき好ましい。
【００２７】
そして、スペーサ２０の下面全面には、機器側への装着機能部として専用で働く下粘着層２３が構成されている。
【００２８】
なお、３１は、上面に離型処理が施された絶縁性フィルムからなるセパレータであり、可動接点３をベースフィルム１０とで挟み込むように、スペーサ２０の下粘着層２３に、その上面が貼り合わされている。当該構成であれば、可動接点体として可動接点３が密閉状態のものにでき、輸送や保管中の可動接点３の腐食、塵埃の侵入などが防止でき、高品質なものを提供できる。
【００２９】
以上のように構成された本発明による可動接点体は、その使用時には、セパレータ３１を剥がし取って、図３の断面図に示すように、各可動接点３に対応する固定接点５（５Ａ、５Ｂ）が配設された配線板６上に貼り付けてパネルスイッチとして使用する。なお、そのパネルスイッチにおける個々のスイッチの構成としては、従来の場合と同様に、それぞれの中央固定接点５Ａが各可動接点３の中央部に対峙し、かつそれぞれの外側固定接点５Ｂ上に前記各可動接点３の外周下端が載置された構成となる。
【００３０】
そして、上記パネルスイッチでは、同図に示すように、配線板６上に、機器側への装着機能部として専用で働くように形成してあるスペーサ２０の下粘着層２３が全面で粘着したもので構成できる。つまり、スペーサ２０の下粘着層２３には、空気流路３０を構成していないため、従来のものよりも配線板６上への粘着面積が大きくなり、当該可動接点体は空気流路３０の形成状態などに拘らず、従来のものよりも強固に配線板６上に粘着固定された防塵性に優れたパネルスイッチに構成できる。また、その際に配線板６上への粘着固定状態が強固かつ確実なものになる分、個々のスイッチの密閉度合いに優れたものとなる。
【００３１】
そして、上記パネルスイッチにおける個々のスイッチの動作としては、ベースフィルム１０の上方から可動接点３に押し下げ力を加え、可動接点３のドーム状部分を弾性反転させ、その中央部下面を中央固定接点５Ａに接触させて中央固定接点５Ａと外側固定接点５Ｂとの間が電気的に接続したスイッチＯＮ状態となり、その押し下げ力を除くと、可動接点３が元の形状に弾性復帰して、中央固定接点５Ａと外側固定接点５Ｂは電気的独立状態に戻り、元のスイッチＯＦＦ状態となる。
【００３２】
このとき、押圧操作されたスイッチ部分において、空気の圧縮状態となるが、可動接点３がスペーサ２０の貫通孔２１内に配してある当該構成であれば、確実に確保できるスペーサ２０板厚分の空間部分が有効に働き、従来のものよりも空気の圧縮度合いが低減されると共に、上記空気は、非粘着部１１Ａと２２Ａとで構成された空気流路３０の広い流路空間内を移動して上記圧縮された空気からの反発力が軽減できて可動接点３の反転動作荷重が安定したものにできるため、良好な操作感触が得られるものとなる。
【００３３】
また、ベースフィルム１０は、従来の場合よりも高い位置となるスペーサ２０上に貼り合わされ、その状態のベースフィルム１０に可動接点３の上面を保持させているため、ベースフィルム１０のスペーサ２０への粘着高さ位置と可動接点３の保持高さ位置の差が少なくなり、その間のベースフィルム１０の面積領域が少なくて済み、結果として操作時におけるベースフィルム１０の撓み領域が低減されることも良好な操作感触が得られることに寄与すると考慮できる。
【００３４】
以上のように、本発明による可動接点体は、使用する配線板６に強固に粘着固定されたパネルスイッチを構成でき、そのパネルスイッチとしても、操作感触が良好な操作性に優れたものが実現できる。
【００３５】
なお、第１粘着層１１と第２粘着層２２を、スクリーン印刷法を用いて形成するようにすると、上記空気流路３０用の非粘着部１１Ａと２２Ａは、容易かつ任意のパターンで形成することが可能である。
【００３６】
また、第１粘着層１１と第２粘着層２２を設ける以外に、何れか一方のみに、空気流路用の非粘着部を備えた粘着層を形成して、ベースフィルム１０とスペーサ２０とを粘着させる構成としてもよい。
【００３７】
なお、上記ベースフィルム１０、スペーサ２０は、例えばＰＥＴなどの連続したフープ状フィルム基材を用いて生産すると生産性が向上し、安価で高品質なものを容易に実現することができる。
【００３８】
また、本発明は、可動接点間を連絡する空気流路用の非粘着部を備えた粘着層を、機器側への装着機能部として共用しない構成とすることが目的であるため、機器側への装着機能部としては、上記の下粘着層２３に限定されることもない。
【産業上の利用可能性】
【００３９】
本発明による可動接点体およびそれを用いたパネルスイッチは、可動接点上を覆うように配したベースフィルムをスペーサ上に貼り合わせ、上記両者間の粘着層に空気流路を形成すると共に、その粘着層を機器側への装着機能部として共用しない構成としてあるため、良好な操作感触を保ちつつ空気流路の形成状態などに拘らず安定した機器への装着状態のものに構成できるという効果を有し、各種電子機器の操作パネルを構成する際等に有用である。
【図面の簡単な説明】
【００４０】
【図１】本発明の一実施の形態による可動接点体の断面図
【図２】同分解斜視図
【図３】同可動接点体を用いて構成したパネルスイッチの断面図
【図４】従来の可動接点体の断面図
【図５】同分解斜視図
【図６】同可動接点体を用いて構成したパネルスイッチの断面図
【符号の説明】
【００４１】
３  可動接点
５  固定接点
５Ａ  中央固定接点
５Ｂ  外側固定接点
６  配線板
１０  ベースフィルム
１１  第１粘着層
１１Ａ  第１粘着層の非粘着部
２０  スペーサ
２１  貫通孔
２２  第２粘着層
２２Ａ  第２粘着層の非粘着部
２３  下粘着層
３０  空気流路
３１  セパレータ
【図１】
2006024450.tif 000003
【図２】
2006024450.tif 000004
【図３】
2006024450.tif 000005
【図４】
2006024450.tif 000006
【図５】
2006024450.tif 000007
【図６】
2006024450.tif 000008